(57)【要約】      （修正有）【課題】公知構造の構造強度不足及び安定性に欠けるなどの欠点を解決し、同時に、誤って接触することで緩むのを防止する安全装置を提供する。【解決手段】主にトップチューブ１、タウンチューブ２及び分解機構３から構成されている。該トップチューブの一端にトップ接続部１１及びトップ回転部１２を設け、該タウンチューブの一端にタウン接続部２１及びタウン回転部２２を設け、該タウン回転部とトップ回転部を互いに接続する。該トップ回転部のスライド及び回転のために、タウン回転部にスライド溝２２１を設ける。該タウン接続部及びトップ接続部は互いに嵌合したあと、該分解機構を介し、外側を結束固定する。上述の構造により、素早く折り畳む、且つ簡単に結束固定することができる。また、タウン接続部とトップ接続部が互いに嵌合することで、構造上の強度及び安定性が増す。【選択図】図１
0003138475.tif 000002
【実用新案登録請求の範囲】
【請求項１】
トップチューブ及びタウンチューブ、分解機構を含み、
該トップチューブの一端にトップ接続部及びトップ回転部を具有し、
該タウンチューブの一端にタウン接続部及びタウン回転部を具有し、該タウン回転部はトップ回転部と接続することで、折り畳む或いは直立することができ、直立する場合、該タウン接続部とトップ接続部は互いに嵌合した後、該分解機構を介し、外側を結束固定し、
上述構造により折り畳む及び結束固定すると同時に、構造の強度及び安定性をアップする効果を具有することを特徴とする折り畳み立管。
【請求項２】
前記トップ回転部のスライド及び回転のためにタウン回転部にスライド溝を設けることを特徴とする請求項1記載の折り畳み立管。
【請求項３】
前記スライド溝に別途安全機構を設置し、スライドするか否かをコントロールすることを特徴とする請求項2記載の折り畳み立管。
【請求項４】
前記安全機構は位置限定部品を含み、該スライド溝の一端に位置限定穴を設け、位置限定部品が位置限定穴にて固定する場合、該安全機構はスライドできないことを特徴とする請求項3記載の折り畳み立管。
【請求項５】
前記トップ接続部に切れ込みを設けることで、結束固定力がアップすることを特徴とする請求項1或いは請求項2或いは請求項3或いは請求項4記載の折り畳み立管。
【考案の詳細な説明】
【技術分野】
【０００１】
本考案は折り畳み立管の改良構造に関し、特に強度及び安定性を兼ね備え、且つ構造が簡単な折り畳み立管に関する。
【背景技術】
【０００２】
公知の実用新案第089211549号の『自転車折り畳み立管』は、下端を自転車のフォークに固定し、上端をハンドルに固定する。直管及び締め具構造を含み、ハンドルを直管のトップに固定する。該直管はトップチューブとタウンチューブを含み、該タウンチューブの先端に台座を設け、該台座の先端及びサイドに開口を具有する。該トップチューブの下端に固定部品を設け、該固定部品を台座サイドの開口から入れてそれと接続し、トップチューブは該接続ポイントを回転軸とし、該先端の開口部とサイドの開口部との間で直立及び折り畳んで回転する目的に達する。従来技術の折り畳み立管構造は折り畳むことにポイントを置き、構造本体の強度及び安定性を重要視していない。ベストな固定効果を得るためには、固定する力を非常に大きくする必要がある。繰り返し使用することで、構造が容易に破壊されるだけでなく、安定効果も失いやすい。構造が緩むことでしっかりと固定することができない場合、危険が生じるため、改善する必要があった。
【特許文献１】台湾実用新案第089211549号明細書
【考案の開示】
【考案が解決しようとする課題】
【０００３】
前記公知構造の構造強度不足及び安定性に欠けるなどの欠点を解決するため、本考案は折り畳み立管の改良構造を案出すると同時に、誤って接触することで緩むのを防止する安全装置を提供することを主な課題とする。
【課題を解決するための手段】
【０００４】
前記課題を解決するために、本考案はトップチューブ、タウンチューブ及び分解機構から構成されている。該トップチューブの一端にトップ接続部及びトップ回転部を設け、該タウンチューブの一端にタウン接続部及びタウン回転部を設け、該タウン回転部とトップ回転部を互いに接続する。該トップ回転部がスライド及び回転するために、タウン回転部にスライド溝を設ける。該タウン接続部及びトップ接続部は互いに嵌合したあと、該分解機構を介し、外側を結束固定する。上述の構造は、素早く折り畳む、且つ簡単に結束固定する目的に達する。また、タウン接続部とトップ接続部が互いに嵌合することで、構造上の強度及び安定性が増す。
【０００５】
該スライド溝に安全機構を設け、該安全機構により、トップチューブがスライドするか否かをコントロールする。トップチューブとタウンチューブを互いに嵌合し、分解機構により固定することで、ぶつかる、或いは誤って接触した際にロックが解除され、危険になる要因を排除するため、より騎乗者の安全を保障することができる。
【考案の効果】
【０００６】
本考案はトップチューブ及びタウンチューブに設けた接続部及び回転部をそれぞれ上下互いに接続、嵌合することにより、素早く折り畳む、且つ簡単に結束固定できるだけでなく、構造上の強度及び安定性が増す。また、該トップ回転部のスライド及び回転するために、タウン回転部に設けたスライド溝に安全機構を設けることで、ぶつかる、或いは誤って接触した際にロックが解除され、危険になる要因を排除し、有効的に騎乗者の安全を保障する。
【考案を実施するための最良の形態】
【０００７】
本考案は折り畳み立管の改良構造である。図１から図２に示すように、トップチューブ(1)、タウンチューブ(2)、分解機構(3)及び安全機構(4)を含む。該トップチューブ(1)の一端にトップ接続部(11)及びトップ回転部(12)を設け、該トップ接続部(11)は中空の丸い管の形態であり、切れ込み(111)を設けることで、結束固定力がアップする。該トップ回転部(12)の一端に穴(121)を設け、該穴(121)を介し、タウンチューブ(2)と接続する。
【０００８】
該タウンチューブ(2)の一端にタウン接続部(21)及びタウン回転部(22)を設け、該タウン接続部(21)は円柱型の形態である。該トップ接続部(11)の内直径はタウン接続部(21)の外直径より大きく、タウン接続部(21)を嵌合する。嵌合した後は該分解機構(3)によりその外側を結束固定する。嵌合した後に結束固定することで、操作が簡単な上に構造の強度を増すことができる。該タウン回転部(22)に開口(222)を設け、該開口(222)にトップ回転部(12)を差し込む。該タウン回転部(22)に別途スライド溝(221)を設け、該スライド溝(221)の一端に位置限定穴(223)を設け、該位置限定穴(223)の外直径はスライド溝(221)の幅より大きい。
【０００９】
該分解機構(3)はリング(31)、レバー(32)、ねじ(33)、シート(34)及びナット(35)を含む。該リング(31)をトップ接続部(11)の外側に嵌め、該レバー(32)とねじ(33)を結合し、該ねじ(33)をシート(34)及びリング(31)と通してからナット(35)で固定する。レバー(32)を動かすことで、シート(34)及びリング(31)を圧迫し、結束固定する効果に達する。
【００１０】
該安全機構(4)はスイッチ(41)、スプリング(42)、スライド部品(43)及び位置限定部品(44)を含む。該スライド部品(43)はトップ接続部(12)の穴(121)を通すことで、該トップチューブ(1)がスライド溝(221)の動き及びスライド部品(43)の軸心の回転に合わせ、折り畳む及び直立の動作を完成する。該スイッチ(41)はスプリング(42)及びスライド部品(43)を通し、位置限定部品(44)と結合する。該位置限定部品(44)は位置限定穴(223)のサイズに合わせる。
【００１１】
図３及び図４が示すのは本考案の操作略図である。図３は本考案を折り畳んだ形態である。該安全機構(4)はトップチューブ(1)と共にスライド溝(221)の一端に移動し、該トップチューブ(1)はスイッチ(4)を支点に回転する。図４に示すように、該トップチューブ(1)及びタウンチューブ(2)は一直線上に位置し、該安全機構(4)はトップチューブ(1)と共にスライド溝(221)の別端に移動すると同時に、該トップ接続部(11)とタウン接続部(21)が嵌合の動作を完成する。最後に該レバー(32)を倒して結束固定する。構造が安定且つ強度が増すだけでなく、固定するのに比較的大きな力を必要としないため、反復操作をしても、構造になんら損害を与えることがないため、構造の安定性をアップできる。更に、図５に示すように、固定した後、該位置限定部品(44)と位置限定穴(223)が互いに嵌合し、該スライド部品(43)はスライド溝(221)に沿って移動することができず、該トップチューブ(1)とタウンチューブ(2)安定した状態を呈す。該分解機構(3)が結束固定を解除しても、該トップチューブ(1)とタウンチューブ(2)が分離することはない。図６に示すように、スイッチ(41)を押すことで位置限定部品(44)が連動し、該位置限定穴(223)と分離し、該トップチューブ(1)はスライド溝(221)に沿って移動することができる。該安全機構(4)を介し、ぶつかる或いは誤って接触することで、結束固定が解除されて危険になる可能性を排除する。
【００１２】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００１３】
【図１】本考案の折り畳み立管の立体分解略図である。
【図２】本考案の折り畳み立管の立体略図である。
【図３】本考案の折り畳み立管の折り畳み略図である。
【図４】本考案の折り畳み立管の操作略図である。
【図５】図４のA−B断面のスライドできないを示す略図である。
【図６】図４のA−B断面のスライドできるを示す略図である。
【符号の説明】
【００１４】
1  トップチューブ
11  トップ接続部
111  切れ込み
12  トップ回転部
121  穴
2  タウンチューブ
21  タウン接続部
22  タウン回転部
221  スライド溝
222  開口
223  位置限定穴
3  分解機構
31  リング
32  レバー
33  ねじ
34  シート
35  ナット
4  安全機構
41  スイッチ
42スプリング
43  スライド部品
44  位置限定部品
【図１】
0003138475.tif 000003
【図２】
0003138475.tif 000004
【図３】
0003138475.tif 000005
【図４】
0003138475.tif 000006
【図５】
0003138475.tif 000007
【図６】
0003138475.tif 000008